(57)【要約】【課題】利用者が快適に利用できるカラオケ伝言板を提供する。【解決手段】多数のカラオケ演奏端末と、利用者コンピュータと、カラオケ演奏端末や利用者コンピュータと通信するメッセージ管理サーバーと、カラオケ演奏端末と短距離無線通信する携帯電話機とが連携するカラオケ伝言板において、伝言発信者が利用者コンピュータによりメッセージ管理サーバーに受取人の携帯電話機の固有情報を指定した上で伝言メッセージを預託し、メッセージ管理サーバーが受託した伝言メッセージを電話機固有情報に対応づけして管理し、カラオケ演奏端末がある携帯電話機からある楽曲の演奏予約指示を受け付けた場合にメッセージ管理サーバーにこの電話機の固有情報を指定して伝言メッセージを要求し、メッセージ管理サーバーが該当する伝言メッセージをカラオケ演奏端末に送達し、カラオケ演奏端末がこのメッセージを該当する楽曲の演奏時に表示出力する。【選択図】　図６
2004062080.tif 000002
【特許請求の範囲】
【請求項１】
各地に散在する多数のカラオケ演奏端末と、これらカラオケ演奏端末と情報通信網で結合されるメッセージ管理サーバーと、このメッセージ管理サーバーと情報通信網で結合可能な伝言発信者が取り扱う不特定の利用者コンピュータと、カラオケ演奏端末と所定の短距離無線通信インタフェースで結合可能な伝言受取人が取り扱う携帯電話機とが連携するカラオケ伝言板の運用方法であって、
伝言発信者は、利用者コンピュータによりメッセージ管理サーバーにアクセスし、特定の携帯電話機についての固有情報を指定した上で、当該電話機の所有者に向けた伝言メッセージを預託し、
メッセージ管理サーバーは、受託した伝言メッセージを電話機固有情報に対応づけして管理し、
カラオケ演奏端末は、ある携帯電話機からある楽曲の演奏予約指示を受け付けた場合、当該電話機の固有情報を取得するとともに、メッセージ管理サーバーにアクセスして当該電話機固有情報を指定して伝言メッセージを要求し、
メッセージ管理サーバーは、指定された電話機固有情報に対応する伝言メッセージを要求してきたカラオケ演奏端末に送達し、
カラオケ演奏端末は、受領した伝言メッセージを、該当楽曲を演奏するときに、適宜に表示出力する、
ことを特徴とするカラオケ伝言板の運用方法。
【請求項２】
請求項１に記載の運用方法に適用されるメッセージ管理サーバーであって、
各地に散在する多数のカラオケ演奏端末と情報通信網を介して通信する手段と、
不特定の利用者コンピュータと情報通信網を介して通信する手段と、
前記利用者コンピュータにより電話機固有情報が指定された上で伝言メッセージが送付されてくると、当該伝言メッセージを電話機固有情報に対応づけして管理するメッセージ管理手段と、
あるカラオケ演奏端末により電話機固有情報が指定された上で伝言メッセージの要求が送付されてくると、当該端末に該当の伝言メッセージを送達する伝言送付手段と、
を備えたことを特徴とするメッセージ管理サーバー。
【請求項３】
請求項２において、前記メッセージ管理手段は、前記利用者コンピュータにより電話機固有情報とともに楽曲に関連する情報が指定された上で伝言メッセージが送付されてくると、当該伝言メッセージを電話機固有情報と当該楽曲関連情報とに対応づけして管理し、前記伝言送付手段は、該当のメッセージとともに対応する楽曲関連情報を送達することを特徴とするメッセージ管理サーバー。
【請求項４】
請求項２または３において、前記メッセージ管理手段は、前記利用者コンピュータにより電話機固有情報とともにメッセージの表示タイミングについての情報が指定された上で伝言メッセージが送付されてくると、当該伝言メッセージを電話機固有情報と当該表示タイミング情報とに対応づけして管理し、前記伝言送付手段は、該当のメッセージとともに対応する表示タイミング情報を送達することを特徴とするメッセージ管理サーバー。
【請求項５】
請求項１に記載の運用方法に適用されるカラオケ演奏端末であって、
所定の情報通信網を介してメッセージ管理サーバーと通信する手段と、
ある携帯電話機からある楽曲の演奏予約指示を受け付けた場合、当該電話機の固有情報を取得する手段と、
メッセージ管理サーバーにアクセスして取得した電話機固有情報を指定して伝言メッセージを要求するメッセージ要求手段と、
メッセージ管理サーバーより受領した伝言メッセージを、該当の携帯電話機により演奏予約された楽曲を演奏するときに適宜なディスプレイに表示するメッセージ表示手段と、
を備えたことを特徴とするカラオケ演奏端末。
【請求項６】
請求項５において、メッセージ表示手段は、受領した伝言メッセージに付帯する楽曲関連情報が、該当の携帯電話機により演奏予約された楽曲に該当しない場合、当該メッセージを表示しないことを特徴とするカラオケ演奏端末。
【請求項７】
請求項５において、携帯電話機により演奏予約された楽曲が受領対象の伝言メッセージに付帯する楽曲関連情報に基づく条件を満たす場合に限って当該メッセージを受領する手段を備えたことを特徴とするカラオケ演奏端末。
【請求項８】
請求項５〜７のいずれかにおいて、メッセージ表示手段は、受領したメッセージを表示する際、当該メッセージとともに受領した表示タイミング情報に従った時点で表示することを特徴とするカラオケ演奏端末。
【発明の詳細な説明】
【０００１】
【発明の属する技術分野】
本発明は伝言発信者が自身のコンピュータを使用して発信した伝言メッセージの文字列をカラオケ演奏端末を使って表示するカラオケ伝言板の運用方法と、この運用方法に適用されるメッセージ管理サーバーと、カラオケ演奏端末とに関する。
【０００２】
【発明の背景】
伝言メッセージの伝達方法としては、従来から駅に設置された伝言板などを利用する方法があった。手紙も伝言伝達方法の一つであるといえる。発信者が電話機によって通信事業者の伝言サーバーに音声メッセージを預け、受取人がそのサーバーに電話して音声メッセージを聞くという方法もよく知られている。最近では、情報通信ネットワークの利用普及により、電子メールが伝言メッセージの伝達方法として広く利用されている。
【０００３】
【発明の開示】
伝言メッセージの伝達方法がどのようなものであっても、伝言メッセージが受取人により再生されたり表示されたりするタイミングや場面については全く考慮されていない。本発明者らは、もし、伝言メッセージを受け取るタイミングや場面をメッセージの発信者側で選ぶことができれば、伝言メッセージに込められた特別な気持ちをより効果的に伝達できると考えた。そして、受取人がメッセージに込められた発信者の特別な思いを受け取ることで、伝言メッセージの送受を通してより深い人間関係が構築できると考えた。
【０００４】
ここでメッセージの受取タイミングや場面を考察すると、より大切なメッセージは、音楽とともに読み上げられたり表示されたりすると受取人はより大きな感銘を受けるという効果がある。たとえば、結婚披露宴の最後で、新郎やその父親がお礼の言葉を述べるときには必ずＢＧＭが流れる。ＴＶ番組などで、恩人への手紙が読み上げられるときや深遠なメッセージが文字表示されるときにもやはり音楽が流れ、メッセージの訴求効果を増大させている。
【０００５】
そして、伝言メッセージの受取タイミングや場面として音楽に関わる時間や場所が相応しいのであれば、カラオケの場が最適であると考えた。不特定多数の人たちがそれぞれ特定の人に宛てた伝言メッセージを各地に多数散在するいずれかのカラオケ演奏端末でも表示できるようにしたいとも考えた。さらに、伝言の受取人でなくても、カラオケの場では歌唱していない人が手持ち無沙汰であり、自分の歌唱の順番が回ってくるまで時間をもてあましていることが多いことを鑑みても、カラオケ演奏端末を伝言板として使用できるようにすることは、このような暇な歌唱者以外の人たちに話題を提供し、場を盛り上げることにも繋がると考えた。
【０００６】
ここで、カラオケ演奏端末を伝言板として使用する際の条件や課題を考察すると、不特定多数の人が特定の人に対するメッセージを自在に発信できること、カラオケ演奏端末でメッセージの受取人本人だけがその伝言メッセージを開封できることなど、伝言メッセージの発信方法や受取方法にさまざまな工夫が必要であることがわかった。
【０００７】
このような技術的状況や社会的状況の認識に基づいて、つぎの事項（１）〜（６）により特定される発明を創作した。
（１）各地に散在する多数のカラオケ演奏端末と、これらカラオケ演奏端末と情報通信網で結合されるメッセージ管理サーバーと、このメッセージ管理サーバーと情報通信網で結合可能な伝言発信者が取り扱う不特定の利用者コンピュータと、カラオケ演奏端末と所定の短距離無線通信インタフェースで結合可能な伝言受取人が取り扱う携帯電話機とが連携するカラオケ伝言板の運用方法である。
（２）伝言発信者は、利用者コンピュータによりメッセージ管理サーバーにアクセスし、特定の携帯電話機についての固有情報を指定した上で、当該電話機の所有者に向けた伝言メッセージを預託する。
（３）メッセージ管理サーバーは、受託した伝言メッセージを電話機固有情報に対応づけして管理する。
（４）カラオケ演奏端末は、ある携帯電話機からある楽曲の演奏予約指示を受け付けた場合、当該電話機の固有情報を取得するとともに、メッセージ管理サーバーにアクセスして当該電話機固有情報を指定して伝言メッセージを要求する。
（５）メッセージ管理サーバーは、指定された電話機固有情報に対応する伝言メッセージを要求してきたカラオケ演奏端末に送達する。
（６）カラオケ演奏端末は、受領した伝言メッセージを、該当楽曲を演奏するときに、適宜に表示出力する。
【０００８】
本発明は、上記カラオケ伝言板の運用方法に適用されるメッセージ管理サーバーにも及んでおり、その基本発明は、各地に散在する多数のカラオケ演奏端末と情報通信網を介して通信する手段と、不特定の利用者コンピュータと情報通信網を介して通信する手段と、前記利用者コンピュータにより電話機固有情報が指定された上で伝言メッセージが送付されてくると、当該伝言メッセージを電話機固有情報に対応づけして管理するメッセージ管理手段と、あるカラオケ演奏端末により電話機固有情報が指定された上で伝言メッセージの要求が送付されてくると、当該端末に該当の伝言メッセージを送達する伝言送付手段とを備えたメッセージ管理サーバーとしている。
【０００９】
また本発明においては、このメッセージ管理サーバーについて、以下の技術事項（Ａ）（Ｂ）も開示している。
（Ａ）前記メッセージ管理手段は、前記利用者コンピュータにより電話機固有情報とともに楽曲に関連する情報が指定された上で伝言メッセージが送付されてくると、当該伝言メッセージを電話機固有情報と当該楽曲関連情報とに対応づけして管理し、前記伝言送付手段は、該当のメッセージとともに対応する楽曲関連情報を送達する。
（Ｂ）前記メッセージ管理手段は、前記利用者コンピュータにより電話機固有情報とともにメッセージの表示タイミングについての情報が指定された上で伝言メッセージが送付されてくると、当該伝言メッセージを電話機固有情報と当該表示タイミング情報とに対応づけして管理し、前記伝言送付手段は、該当のメッセージとともに対応する表示タイミング情報を送達する。
【００１０】
さらに、上記カラオケ伝言板の運用方法に適用されるカラオケ演奏端末も本発明の対象であって、所定の情報通信網を介してメッセージ管理サーバーと通信する手段と、ある携帯電話機からある楽曲の演奏予約指示を受け付けた場合、当該電話機の固有情報を取得する手段と、メッセージ管理サーバーにアクセスして取得した電話機固有情報を指定して伝言メッセージを要求するメッセージ要求手段と、メッセージ管理サーバーより受領した伝言メッセージを、該当の携帯電話機により演奏予約された楽曲を演奏するときに適宜なディスプレイに表示するメッセージ表示手段とを備えている。
【００１１】
そして、このカラオケ演奏端末について、本発明はつぎの技術事項（ａ）〜（ｃ）を開示している。
（ａ）メッセージ表示手段は、受領した伝言メッセージに付帯する楽曲関連情報が、該当の携帯電話機により演奏予約された楽曲に該当しない場合、当該メッセージを表示しない。
（ｂ）携帯電話機により演奏予約された楽曲が受領対象の伝言メッセージに付帯する楽曲関連情報に基づく条件を満たす場合に限って当該メッセージを受領する手段を備えている。
（ｃ）メッセージ表示手段は、受領したメッセージを表示する際、当該メッセージとともに受領した表示タイミング情報に従った時点で表示する。
【００１２】
【発明の実施の形態】
＝＝＝ネットワーク構成＝＝＝
図１は本発明の方法によって運用されるカラオケ伝言板のシステム構成を示している。各地に散在するカラオケ演奏端末（以下、演奏端末）１とホスト装置２とが公衆電話網３に接続されて周知の通信カラオケシステムが構築されている。ホスト装置２は、多数のカラオケ楽曲についてのカラオケ伴奏音楽と歌詞画像の生成起源となるカラオケデータを蓄積・管理するとともに、新譜のカラオケデータなどを演奏端末１に適時に配信する。
【００１３】
また、カラオケ事業者が運営するメッセージ管理サーバー４がインターネット６および公衆電話網３の双方に接続されている。このメッセージ管理サーバー４は、一般利用者が操作する不特定多数の利用者コンピュータ５とインターネット６を介して通信するとともに各地の演奏端末１とも公衆電話網３を介して通信するように構成されている。本実施例では、伝言メッセージの発信者が自身の利用者コンピュータにより伝言メッセージを受取人を指定した上でメッセージ管理サーバーに預けるものとする。
【００１４】
一方メッセージの受取人は、ブラウザ機能とＩｒＤＡやブルートゥースなどの所定規格の短距離無線通信インタフェースを備えた携帯電話機（以下、多機能電話機）７を所持し、この電話機７をカラオケ店舗に持参した上で演奏端末１を利用する。また、演奏端末１にも同じ短距離無線通信インタフェースが搭載されて双方がこのインタフェースを介して通信するように構成されている。
【００１５】
多機能電話機７には、短距離無線通信インタフェースを通じて演奏端末１にリクエスト曲を演奏予約するためのコマンドを送信したり、演奏端末１をカラオケ伝言板として利用したりするためのソフトウエア（カラオケ連携ソフト）が実装されている。このソフトウエアは、所定のＷｅｂサーバーなどに用意しておき、多機能電話機はそれをダウンロードしてインストールすればよい。
【００１６】
なお、多機能電話機に限らずブラウザを備えた携帯電話機であれば、移動体通信網を経由してインターネットに接続してメッセージ管理サーバー４にアクセスすることができる。したがって、多機能電話機を含めたブラウザ機能付き携帯電話機も利用者コンピュータとして使用することができる。
【００１７】
＝＝＝メッセージ管理サーバー＝＝＝
メッセージ管理サーバー４は、ＷＷＷサーバーとしての基本機能を備え、利用者コンピュータ５とのＨＴＴＰ通信を通じて伝言発信者による伝言メッセージの預託を受け付けてこれを蓄積・管理する。また、演奏端末１と適時に通信し、受取人指定の伝言メッセージを送達する。メッセージ管理サーバー４は、多数の伝言メッセージのそれぞれについて、受取人の多機能電話機に固有の情報を対応づけしてメッセージデータベースに蓄積・管理している。本実施例では電話番号を固有情報として採用している。もちろん、電話機の製造番号や電子メールアドレスなどを電話機固有情報とすることもできる。
【００１８】
また本実施例のメッセージ管理サーバーは、演奏端末１が演奏可能なカラオケ楽曲についての楽曲番号・曲名・アーティスト名などの目次情報を楽曲索引データベースに蓄積・管理し、ホスト装置２における新譜のカラオケデータの追加などに連動してこの楽曲索引データベースを逐次更新している
なお、メッセージ管理サーバー４とホスト装置２とは、別体のコンピュータシステムであってもよいし、同じコンピュータシステムに実装されたソフトウエアによってそれぞれの機能を実現させた形態であってもよい。また楽曲索引データベースなど双方の機能の一部が共有されている形態であってもよい。
【００１９】
＝＝＝伝言メッセージの預託＝＝＝
伝言メッセージの発信者は、自身の利用者コンピュータ５をブラウザによりメッセージ管理サーバー４にアクセスさせる。メッセージ管理サーバー４は、この利用者コンピュータ５にメッセージを預かるための窓口となるＷｅｂページ（メッセージ登録ページ）を送達する。図２にこのメッセージ登録ページの概略を示した。このページ３０にはメッセージの受取人を特定するための情報として携帯電話機の電話番号の記入欄３１と、メッセージの記入欄３２とが含まれている。また、メッセージの受取タイミングや場面を指定するための情報として、特定の楽曲についての曲名や楽曲番号、特定のアーティスト名などの情報（楽曲関連情報）を記入する欄３３と、前奏・中奏・後奏・あるいは歌い出しなどの楽曲演奏中における特定の時点を指定するための情報（表示タイミング情報）を指示するためのチェックボタン３４が含まれている。そして、各記入欄３１〜３４に所定の情報を入力した上で送信ボタン３５を指示すると、これらの入力情報がメッセージ管理サーバー４に送達される。
【００２０】
メッセージ管理サーバー４は、メッセージ登録ページ３０に記入された各種情報を受け取ると、楽曲関連情報を楽曲検索データベースに照会して該当する楽曲についての詳細な目次情報を取得する。そして、この目次情報とメッセージなどを記載した確認を求めるＷｅｂページを返送する。図３にこの確認ページの概略図を示した。メッセージ発信者は、確認ページ４０の記載事項に誤りがなければ、このページ４０の確認ボタン４１をブラウザにより指示してその旨をメッセージ管理サーバー４に送付する。誤りがあれば、戻るボタン４２を押して先述のメッセージ登録ページ３０を再度取り寄せる。メッセージ管理サーバー４は、送付した確認ページ４０に対して確認の旨のデータが返送されると、伝言メッセージと楽曲の楽曲番号あるいはアーティスト名の識別コードなどメッセージ登録ページにて入力された楽曲関連情報を対応づけしてメッセージデータベースに登録する。
【００２１】
＝＝＝カラオケ演奏端末の基本的な構成と動作＝＝＝
本発明の実施例における演奏端末１は、従来の通信カラオケシステムのそれと同様のハードウエア構成を採用している。図４にこの演奏端末１の機能ブロック図を示した。中央制御部１１は、各周辺構成部を制御してこの演奏端末１を統括している。ハードディスク装置１２には多数のカラオケ楽曲について、目次情報と、ＭＩＤＩデータを主体とした伴奏音楽データと、歌詞画像の生成起源となる歌詞描出データとを含むカラオケデータが蓄積されている。また、ハードディスク装置１２には所定形式の長時間分の動画データと、動画データの処理シーケンス（処理すべき動画データの格納場所と処理順番など）を規定した台本データをも格納されている。
【００２２】
中央制御部１１は、各楽曲のカラオケデータと台本データとを楽曲番号によって識別しこれをカラオケデータベースとして管理しており、カラオケ装置１本体に配設されている操作パネル１４やリモコン送信器１３、あるいは多機能電話機７から楽曲番号を含んだ演奏予約コマンドを操作制御部１５を介して受け付けると、その番号を内部のＲＡＭに格納して演奏処理の待ち行列で管理する。
【００２３】
また、待ち行列から楽曲番号を順次取り出し、該当のカラオケデータをハードディスク装置１２より読み出し、このカラオケデータ中の伴奏音楽データをシンセサイザ１６に転送して伴奏音楽を生成させる。また、歌詞データに基づいて伴奏音楽に同期して歌唱すべき箇所が色変わりする歌詞画像をビデオＲＡＭ２０に順次ビットマップ展開していく。また、台本データに基づいて所定の動画データを所定の順番で映像制御部２１に順次転送して歌詞画像の背景動画を復号させる。
【００２４】
ミキシングアンプ１７は伴奏音楽とマイクロホン１９に入力された歌唱音声とを混合・増幅してスピーカ１８より音響出力する。映像制御部２１は、復号した動画映像に歌詞画像をスーパーインポーズ処理してディスプレイ２２に表示出力する。
【００２５】
＝＝＝伝言メッセージの表示制御＝＝＝
演奏端末１は、メッセージ管理サーバー４に預けられている伝言メッセージをその受取人がリクエストした楽曲の演奏中に表示出力するカラオケ伝言板機能を備えている。中央制御部１１は、多機能携帯電話機７がカラオケ連携ソフトが起動された状態で演奏端末１から所定距離内に近づくと、短距離無線通信インタフェース２４を介して通信リンクを確立し、伝言メッセージ機能を起動する。そして、リンクが確立している状態で多機能電話機７からの演奏予約コマンドを短距離無線通信インタフェース２４を介して受け取ると、このコマンド中の楽曲番号を待ち行列に登録する。また、リンクの確立時や演奏予約コマンドの受付時など適時にこの電話機７の電話番号を取得し、予約楽曲を演奏するまでの適宜なタイミング時点で通信制御部２３を介してメッセージ管理サーバー４にアクセスし、取得した電話番号を指定して伝言メッセージを要求する。本実施例では、演奏予約を受け付けた時点でこの要求をしている。
【００２６】
メッセージ管理サーバー４は、演奏端末１から受け取った電話番号をメッセージデータベースに照会し、該当する伝言メッセージを楽曲関連情報と受取タイミング情報とともに演奏端末１に送達する。該当する楽曲関連メッセージが存在しないときはその旨を送達する。演奏端末１の中央制御部１１は、伝言メッセージとその付帯情報とをハードディスク装置１２に格納する。
【００２７】
また中央制御部１１は、伝言メッセージに付帯する音楽関連情報に基づいてそのメッセージを表示するかどうかを決定し、表示する場合には開封タイミング情報に基づいてそのタイミングを決定する処理も行う。なお、楽曲関連情報に基づく伝言メッセージの表示／非表示の決定は、次の▲１▼〜▲３▼の条件に従う。
【００２８】
▲１▼　楽曲やアーティスト名が指定されていない場合
伝言メッセージの受領起源となった携帯電話機によって演奏予約された楽曲の演奏時に無条件で伝言メッセージを表示する。
▲２▼　楽曲が指定されている場合
携帯電話機にて演奏予約された楽曲がこの指定楽曲に一致した場合に限って伝言メッセージを表示する。
▲３▼　アーティスト名が指定されている場合
携帯電話機にて演奏予約された楽曲のアーティストがこの指定アーティストと一致した場合に限って伝言メッセージを表示する。
【００２９】
中央制御部１１は、上記▲１▼〜▲３▼のそれぞれの条件に従って伝言メッセージを表示することを決定すると、該当楽曲の演奏処理に並行して現在どの時点を演奏しているのかを監視する。そして、表示タイミング情報で指定された演奏時点になると、歌詞文字列とともに伝言メッセージの文字列をビデオＲＡＭにビットマップ展開する。それによって伝言メッセージが歌詞画像とともにディスプレイ２２に表示される。なお、表示タイミング情報として「指定なし」が付帯している場合にはあらかじめ設定されている所定のタイミングで表示する。本実施例では、演奏開始直後に表示することとしている。図５に本実施例における伝言メッセージの表示状態を示した。歌詞５２の余白部分に伝言メッセージ５１が表示されている。なお、本実施例におけるカラオケ伝言板の運用方法について、伝言メッセージの預託から表示までの手順図を図６に示した。
【００３０】
＝＝＝伝言メッセージの受領制御＝＝＝
中央制御部１１は、伝言メッセージを受領する際、その受領起源となった予約楽曲が上記条件▲２▼または▲３▼に該当しない場合に伝言メッセージを受領しないようにしてもよい。それによって、伝言メッセージ本体を取り寄せるための通信処理にかかる時間とコストを削減することができる。伝言メッセージを格納するための記憶容量も節約できる。
【００３１】
＝＝＝伝言メッセージの表示装置＝＝＝
伝言メッセージを歌詞とともに表示せず、伝言メッセージの文字画像を展開するためのビデオＲＡＭを演奏端末に別途搭載したり、一つのビデオＲＡＭを歌詞画像用とメッセージ用途で領域を分けたりすれば、別系統のディスプレイに伝言メッセージを単独で表示することができる。表示装置の形態もＣＲＴなどのビデオディスプレイに限らず、たとえば、演奏端末本体に文字列を行表示するためのディスプレイを配設しておき、この行表示ディスプレイに伝言メッセージを表示するようにしてもよい。
【００３２】
＝＝＝カラオケ伝言板のシステム構成について＝＝＝
カラオケ伝言板のシステム構成は、上記実施例に限らず、演奏端末にインターネット接続機能を実装し、演奏端末とメッセージ管理サーバーとがインターネットを介して通信する構成としてもよい。
【００３３】
また、演奏端末自体をパーソナルコンピュータなどの汎用コンピュータを付属させた構成としてもよい。そして、この付属コンピュータが携帯電話機との短距離通信を通じて演奏予約コマンドを受け付け、このコマンドを演奏端末本体に転送する。また、付属コンピュータがインターネットなどの所定の情報通信ネットワークを介してメッセージ管理サーバーと通信して伝言メッセージの要求や受領をするとともに、受領した伝言メッセージを演奏端末に転送するように構成してもよい。もちろん、この付属コンピュータが演奏端末における楽曲演奏の状況を監視し、このコンピュータ用ディスプレイにメッセージを表示することとしてもよい。
【００３４】
【発明の効果】
本発明のカラオケ伝言板の運用方法によれば、特定の受取人に宛てた伝言メッセージをその受取人がカラオケ演奏端末にリクエストした楽曲の演奏時に表示することができる。そのため、メッセージの訴求効果を増大させる。メッセージの受取人以外のカラオケ同伴者に話題を提供して場を盛り上げることもできる。
【図面の簡単な説明】
【図１】本発明の実施例における方法によって運用されるカラオケ伝言板システムを含むネットワーク構成図である。
【図２】上記ネットワークにおいて、メッセージ管理サーバーが利用者コンピュータに送達するメッセージ登録ページの概略図である。
【図３】上記メッセージ管理サーバーが利用者コンピュータに送達する確認ページの概略図である。
【図４】上記カラオケ伝言板システムを構成するカラオケ演奏端末の機能ブロック図である。
【図５】上記カラオケ演奏端末における伝言メッセージの表示状態図である。
【図６】上記カラオケ伝言板システムの運用手順図である。
【符号の説明】
１　カラオケ演奏端末
３　公衆電話網
４　メッセージ管理サーバー
５　利用者コンピュータ
６　インターネット
７　多機能電話機
【図１】
2004062080.tif 000003
【図２】
2004062080.tif 000004
【図３】
2004062080.tif 000005
【図４】
2004062080.tif 000006
【図５】
2004062080.tif 000007
【図６】
2004062080.tif 000008